(57)【要約】【課題】スライドショーの任意のイベントの画像を簡単に表示できるように家電機器用データを生成して記録媒体に記録する。【解決手段】画像データとスライドショープログラムとが記録された記録媒体を作成する記録装置で動作する記録プログラムであって、コンピュータを、１又は複数のイベントで撮影された画像データのヘッダ情報に基づいて、撮影日が同じ又は連続する画像データを１つのイベントの画像データとして判別し、イベント毎又はイベント内の所定数の画像データ毎に、各々の画像データに基づく画像がスライド表示される特定のファイル形式の動画データを生成し、複数の動画データがタイトルで分割された特定種類のデータを生成するデータ生成手段、記録手段に、少なくとも特定種類のデータとイベント毎の画像データとスライドショープログラムとを記録媒体に記録させる記録制御手段、として機能させる。【選択図】図８
2009224862.tif 000002
【特許請求の範囲】
【請求項１】
画像データと該画像データをコンピュータ機器でスライド表示させるスライドショープログラムとが少なくとも記録された記録媒体を作成する記録装置で動作する記録プログラムであって、
コンピュータを、
１又は複数のイベントで撮影された画像データのヘッダ情報に基づいて、撮影日が同じ又は連続する画像データを１つのイベントの画像データとして判別し、前記イベント毎又はイベント内の所定数の画像データ毎に、各々の前記画像データに基づく画像がスライドショーの設定条件で表示される特定のファイル形式の動画データを生成し、複数の前記動画データに基づいて、各々の前記動画データがタイトルで分割された特定種類のデータを生成するデータ生成手段、
記録手段に、少なくとも前記特定種類のデータと前記イベント毎の画像データと前記スライドショープログラムとを前記記録媒体に記録させる記録制御手段、として機能させることを特徴とする記録プログラム。
【請求項２】
画像データと該画像データをコンピュータ機器でスライド表示させるスライドショープログラムとが少なくとも記録された記録媒体を作成する記録装置で動作する記録プログラムであって、
コンピュータを、
１又は複数のイベントで撮影された画像データのヘッダ情報に基づいて、撮影日が同じ又は連続する画像データを１つのイベントの画像データとして判別し、各々の前記画像データに基づく画像がスライドショーの設定条件で表示される特定のファイル形式の動画データを生成し、前記動画データに基づいて特定種類のデータを生成し、前記特定種類のデータのデータ構成を参照して、前記イベント毎又はイベント内の所定数の画像データ毎の先頭位置にチャプターを設定するデータ生成手段、
記録手段に、少なくとも前記特定種類のデータと前記イベント毎の画像データと前記スライドショープログラムとを前記記録媒体に記録させる記録制御手段、として機能させることを特徴とする記録プログラム。
【請求項３】
前記データ生成手段は、前記特定のファイル形式の動画データを生成する際に、該動画データに、所定のイベントの最後の画像データと次のイベントの最初の画像データとの間、及び、所定のイベントの所定数の最後の画像データとそのイベントの次の所定数の最初の画像データとの間の位置を特定する位置特定情報を付加し、該位置特定情報を参照して、前記イベント毎又はイベント内の所定数の画像データ毎の先頭位置にチャプターを設定することを特徴とする請求項２記載の記録プログラム。
【請求項４】
前記特定のファイル形式の動画データはＭＰＥＧ１形式又はＭＰＥＧ２形式のデータであり、前記特定種類のデータはＤＶＤ−Ｖｉｄｅｏ形式のデータであることを特徴とする請求項１乃至３のいずれか一に記載の記録プログラム。
【請求項５】
画像データと該画像データをコンピュータ機器でスライド表示させるスライドショープログラムとが少なくとも記録された記録媒体を作成する記録装置において、
１又は複数のイベントで撮影された画像データを読み取るデータ読み取り手段と、
前記画像データのヘッダ情報に基づいて、撮影日が同じ又は連続する画像データを１つのイベントの画像データとして判別し、前記イベント毎又はイベント内の所定数の画像データ毎に、各々の前記画像データに基づく画像がスライドショーの設定条件で表示される特定のファイル形式の動画データを生成し、複数の前記動画データに基づいて、各々の前記動画データがタイトルで分割された特定種類のデータを生成するデータ生成手段と、
記録手段に、少なくとも前記特定種類のデータと前記イベント毎の画像データと前記スライドショープログラムとを前記記録媒体に記録させる記録制御手段、を少なくとも備えることを特徴とする記録装置。
【請求項６】
画像データと該画像データをコンピュータ機器でスライド表示させるスライドショープログラムとが少なくとも記録された記録媒体を作成する記録装置において、
１又は複数のイベントで撮影された画像データを読み取るデータ読み取り手段と、
前記画像データのヘッダ情報に基づいて、撮影日が同じ又は連続する画像データを１つのイベントの画像データとして判別し、各々の前記画像データに基づく画像がスライドショーの設定条件で表示される特定のファイル形式の動画データを生成し、前記動画データに基づいて特定種類のデータを生成し、前記特定種類のデータのデータ構成を参照して、前記イベント毎又はイベント内の所定数の画像データ毎の先頭位置にチャプターを設定するデータ生成手段と、
記録手段に、少なくとも前記特定種類のデータと前記イベント毎の画像データと前記スライドショープログラムとを前記記録媒体に記録させる記録制御手段、を少なくとも備えることを特徴とする記録装置。
【請求項７】
前記データ生成手段は、前記特定のファイル形式の動画データを生成する際に、該動画データに、所定のイベントの最後の画像データと次のイベントの最初の画像データとの間、及び、所定のイベントの所定数の最後の画像データとそのイベントの次の所定数の最初の画像データとの間の位置を特定する位置特定情報を付加し、該位置特定情報を参照して、前記イベント毎又はイベント内の所定数の画像データ毎の先頭位置にチャプターを設定することを特徴とする請求項６記載の記録装置。
【請求項８】
前記特定のファイル形式の動画データはＭＰＥＧ１形式又はＭＰＥＧ２形式のデータであり、前記特定種類のデータはＤＶＤ−Ｖｉｄｅｏ形式のデータであることを特徴とする請求項５乃至７のいずれか一に記載の記録装置。
【請求項９】
画像データと該画像データをコンピュータ機器でスライド表示させるスライドショープログラムとを少なくとも記録媒体に記録する記録方法において、
１又は複数のイベントで撮影された画像データを読み取る第１のステップと、
前記画像データのヘッダ情報に基づいて、撮影日が同じ又は連続する画像データを１つのイベントの画像データとして判別する第２のステップと、
前記イベント毎又はイベント内の所定数の画像データ毎に、各々の前記画像データに基づく画像がスライドショーの設定条件で表示される特定のファイル形式の動画データを生成する第３のステップと、
複数の前記動画データに基づいて、各々の前記動画データがタイトルで分割された特定種類のデータを生成する第４のステップと、
記録手段に、少なくとも前記特定種類のデータと前記イベント毎の画像データと前記スライドショープログラムとを前記記録媒体に記録させる第５のステップと、を少なくとも備えることを特徴とする記録方法。
【請求項１０】
画像データと該画像データをコンピュータ機器でスライド表示させるスライドショープログラムとを少なくとも記録媒体に記録する記録方法において、
１又は複数のイベントで撮影された画像データを読み取る第１のステップと、
前記画像データのヘッダ情報に基づいて、撮影日が同じ又は連続する画像データを１つのイベントの画像データとして判別する第２のステップと、
各々の前記画像データに基づく画像がスライドショーの設定条件で表示される特定のファイル形式の動画データを生成する第３のステップと、
前記動画データに基づいて特定種類のデータを生成し、前記特定種類のデータのデータ構成を参照して、前記イベント毎又はイベント内の所定数の画像データ毎の先頭位置にチャプターを設定する第４のステップと、
記録手段に、少なくとも前記特定種類のデータと前記イベント毎の画像データと前記スライドショープログラムとを前記記録媒体に記録させる第５のステップと、を少なくとも備えることを特徴とする記録方法。
【請求項１１】
前記第３のステップでは、前記特定のファイル形式の動画データに、所定のイベントの最後の画像データと次のイベントの最初の画像データとの間、及び、所定のイベントの所定数の最後の画像データとそのイベントの次の所定数の最初の画像データとの間の位置を特定する位置特定情報を付加し、
前記第４のステップでは、前記位置特定情報を参照して、前記イベント毎又はイベント内の所定数の画像データ毎の先頭位置にチャプターを設定することを特徴とする請求項１０記載の記録方法。
【請求項１２】
前記特定のファイル形式の動画データはＭＰＥＧ１形式又はＭＰＥＧ２形式のデータであり、前記特定種類のデータはＤＶＤ−Ｖｉｄｅｏ形式のデータであることを特徴とする請求項９乃至１１のいずれか一に記載の記録方法。
【発明の詳細な説明】
【技術分野】
【０００１】
本発明は、記録プログラム及び記録装置並びに記録方法に関し、特に、画像データから家電機器で再生可能なデータを生成して記録媒体に記録する記録プログラム及び記録装置並びに記録方法に関する。
【背景技術】
【０００２】
近年、写真画像に関する様々なサービスが提供されている。例えば、デジタルカメラで撮影した写真の画像データからスライドショーの動画データを生成し、該動画データからＤＶＤプレーヤやＤＶＤレコーダ、ＨＤＤレコーダ、ゲーム機などの家電機器で再生可能なデータ（以下、家電機器用データと呼ぶ。）を生成し、この家電機器用データを画像データと共にＣＤ−ＲやＤＶＤ−Ｒなどの記録媒体に書き込むサービスも行われている。
【０００３】
例えば、下記特許文献１には、静止画像データに差分データを付加して動画データを生成し、その動画データからＶｉｄｅｏ−ＣＤ形式又はＤＶＤ−Ｖｉｄｅｏ形式の家電機器用データを生成し、静止画像データと家電機器用データとをセットにして記録媒体に記録する方法が開示されている。
【０００４】
【特許文献１】特開２００３−２５９３０３号公報
【発明の開示】
【発明が解決しようとする課題】
【０００５】
上記家電機器用データは、複数の画像データに基づく画像が順次又は所定のスライド効果で切り替わる一連の動画として記録されるため、記録媒体を家電機器に装填すれば、特別な操作をすることなく画像を順番に閲覧することができ、機械操作に不慣れなユーザにとっては便利である。しかしながら、複数の画像データを一連の動画として記録する方法では、例えば、スライドショーの後ろの方に記録された画像を閲覧したい場合でも、その前に記録された画像を表示させなければならないという不便さがある。
【０００６】
特に、複数のイベントで撮影された画像データに基づいて作成された家電機器用データを記録媒体に記録した場合、ユーザはイベント単位で画像を閲覧することが多いと考えられるが、従来の家電機器用データは、全てのイベントの画像を一群の画像として扱っていたため、所望のイベントの画像を簡単に表示させることができないという問題があった。
【０００７】
本発明は、上記問題点に鑑みてなされたものであって、その主たる目的は、画像データと該画像データをコンピュータ機器でスライド表示させるスライドショープログラムとが少なくとも記録された記録媒体を作成する際に、スライドショーの任意のイベントの画像を簡単に表示できるように家電機器用データを生成して記録媒体に記録する記録プログラム及び記録装置並びに記録方法を提供することにある。
【課題を解決するための手段】
【０００８】
上記目的を達成するため、本発明は、画像データと該画像データをコンピュータ機器でスライド表示させるスライドショープログラムとが少なくとも記録された記録媒体を作成する記録装置で動作する記録プログラムであって、コンピュータを、１又は複数のイベントで撮影された画像データのヘッダ情報に基づいて、撮影日が同じ又は連続する画像データを１つのイベントの画像データとして判別し、前記イベント毎又はイベント内の所定数の画像データ毎に、各々の前記画像データに基づく画像がスライドショーの設定条件で表示される特定のファイル形式の動画データを生成し、複数の前記動画データに基づいて、各々の前記動画データがタイトルで分割された特定種類のデータを生成するデータ生成手段、記録手段に、少なくとも前記特定種類のデータと前記イベント毎の画像データと前記スライドショープログラムとを前記記録媒体に記録させる記録制御手段、として機能させるものである。
【０００９】
また、本発明は、画像データと該画像データをコンピュータ機器でスライド表示させるスライドショープログラムとが少なくとも記録された記録媒体を作成する記録装置で動作する記録プログラムであって、コンピュータを、１又は複数のイベントで撮影された画像データのヘッダ情報に基づいて、撮影日が同じ又は連続する画像データを１つのイベントの画像データとして判別し、各々の前記画像データに基づく画像がスライドショーの設定条件で表示される特定のファイル形式の動画データを生成し、前記動画データに基づいて特定種類のデータを生成し、前記特定種類のデータのデータ構成を参照して、前記イベント毎又はイベント内の所定数の画像データ毎の先頭位置にチャプターを設定するデータ生成手段、記録手段に、少なくとも前記特定種類のデータと前記イベント毎の画像データと前記スライドショープログラムとを前記記録媒体に記録させる記録制御手段、として機能させるものであり、前記データ生成手段は、前記特定のファイル形式の動画データを生成する際に、該動画データに、所定のイベントの最後の画像データと次のイベントの最初の画像データとの間、及び、所定のイベントの所定数の最後の画像データとそのイベントの次の所定数の最初の画像データとの間の位置を特定する位置特定情報を付加し、該位置特定情報を参照して、前記イベント毎又はイベント内の所定数の画像データ毎の先頭位置にチャプターを設定する構成とすることができる。
【００１０】
また、本発明は、画像データと該画像データをコンピュータ機器でスライド表示させるスライドショープログラムとが少なくとも記録された記録媒体を作成する記録装置において、１又は複数のイベントで撮影された画像データを読み取るデータ読み取り手段と、前記画像データのヘッダ情報に基づいて、撮影日が同じ又は連続する画像データを１つのイベントの画像データとして判別し、前記イベント毎又はイベント内の所定数の画像データ毎に、各々の前記画像データに基づく画像がスライドショーの設定条件で表示される特定のファイル形式の動画データを生成し、複数の前記動画データに基づいて、各々の前記動画データがタイトルで分割された特定種類のデータを生成するデータ生成手段と、記録手段に、少なくとも前記特定種類のデータと前記イベント毎の画像データと前記スライドショープログラムとを前記記録媒体に記録させる記録制御手段、を少なくとも備えるものである。
【００１１】
また、本発明は、画像データと該画像データをコンピュータ機器でスライド表示させるスライドショープログラムとが少なくとも記録された記録媒体を作成する記録装置において、１又は複数のイベントで撮影された画像データを読み取るデータ読み取り手段と、前記画像データのヘッダ情報に基づいて、撮影日が同じ又は連続する画像データを１つのイベントの画像データとして判別し、各々の前記画像データに基づく画像がスライドショーの設定条件で表示される特定のファイル形式の動画データを生成し、前記動画データに基づいて特定種類のデータを生成し、前記特定種類のデータのデータ構成を参照して、前記イベント毎又はイベント内の所定数の画像データ毎の先頭位置にチャプターを設定するデータ生成手段と、記録手段に、少なくとも前記特定種類のデータと前記イベント毎の画像データと前記スライドショープログラムとを前記記録媒体に記録させる記録制御手段、を少なくとも備えるものであり、前記データ生成手段は、前記特定のファイル形式の動画データを生成する際に、該動画データに、所定のイベントの最後の画像データと次のイベントの最初の画像データとの間、及び、所定のイベントの所定数の最後の画像データとそのイベントの次の所定数の最初の画像データとの間の位置を特定する位置特定情報を付加し、該位置特定情報を参照して、前記イベント毎又はイベント内の所定数の画像データ毎の先頭位置にチャプターを設定する構成とすることができる。
【００１２】
また、本発明は、画像データと該画像データをコンピュータ機器でスライド表示させるスライドショープログラムとを少なくとも記録媒体に記録する記録方法において、１又は複数のイベントで撮影された画像データを読み取る第１のステップと、前記画像データのヘッダ情報に基づいて、撮影日が同じ又は連続する画像データを１つのイベントの画像データとして判別する第２のステップと、前記イベント毎又はイベント内の所定数の画像データ毎に、各々の前記画像データに基づく画像がスライドショーの設定条件で表示される特定のファイル形式の動画データを生成する第３のステップと、複数の前記動画データに基づいて、各々の前記動画データがタイトルで分割された特定種類のデータを生成する第４のステップと、記録手段に、少なくとも前記特定種類のデータと前記イベント毎の画像データと前記スライドショープログラムとを前記記録媒体に記録させる第５のステップと、を少なくとも備えるものである。
【００１３】
また、本発明は、画像データと該画像データをコンピュータ機器でスライド表示させるスライドショープログラムとを少なくとも記録媒体に記録する記録方法において、１又は複数のイベントで撮影された画像データを読み取る第１のステップと、前記画像データのヘッダ情報に基づいて、撮影日が同じ又は連続する画像データを１つのイベントの画像データとして判別する第２のステップと、各々の前記画像データに基づく画像がスライドショーの設定条件で表示される特定のファイル形式の動画データを生成する第３のステップと、前記動画データに基づいて特定種類のデータを生成し、前記特定種類のデータのデータ構成を参照して、前記イベント毎又はイベント内の所定数の画像データ毎の先頭位置にチャプターを設定する第４のステップと、記録手段に、少なくとも前記特定種類のデータと前記イベント毎の画像データと前記スライドショープログラムとを前記記録媒体に記録させる第５のステップと、を少なくとも備えるものであり、前記第３のステップでは、前記特定のファイル形式の動画データに、所定のイベントの最後の画像データと次のイベントの最初の画像データとの間、及び、所定のイベントの所定数の最後の画像データとそのイベントの次の所定数の最初の画像データとの間の位置を特定する位置特定情報を付加し、前記第４のステップでは、前記位置特定情報を参照して、前記イベント毎又はイベント内の所定数の画像データ毎の先頭位置にチャプターを設定する構成とすることができる。
【００１４】
本発明においては、前記特定のファイル形式の動画データをＭＰＥＧ１形式又はＭＰＥＧ２形式のデータとし、前記特定種類のデータをＤＶＤ−Ｖｉｄｅｏ形式のデータとすることができる。
【００１５】
このように、本発明の構成によれば、記録媒体には、画像データと該画像データをコンピュータ機器でスライド表示させるスライドショープログラムとに加えて、イベント毎又はイベント内の所定数の画像データ毎にタイトル分割又はチャプターが設定された特定種類のデータが記録されるため、ユーザはＤＶＤプレーヤなどの家電機器を用いて画像を表示させる場合に、タイトルメニュー画面で所望のイベントの画像を表示させたり、チャプター機能を用いて所望のイベントの画像を表示させることができる。
【発明の効果】
【００１６】
本発明の記録プログラム及び記録装置並びに記録方法によれば、ＤＶＤプレーヤなどの家電機器を用いて複数の画像データに基づく画像がスライド表示されるスライドショーを実行する際に、所望のイベントの画像を簡単に表示させることができる。
【００１７】
その理由は、画像データと該画像データをコンピュータ機器でスライド表示させるスライドショープログラムとが少なくとも記録された記録媒体を作成する際に、記録プログラムは、１又は複数のイベントで撮影された画像データに基づいてＤＶＤ−Ｖｉｄｅｏ形式などの家電機器用データを生成する際に、画像データのヘッダ情報に基づいて撮影日を取得し、撮影日が同じ又は連続する画像データを１つのイベントの画像データとして判別し、イベント毎又はイベント内の所定数の画像データ毎に、各々の画像データに基づく画像がスライドショーの設定条件で表示される特定のファイル形式の動画データを生成し、この複数の動画データに基づいて、各々の動画データが別々のタイトルとして分割された家電機器用データを生成したり、１又は複数のイベントで撮影された画像データに基づいて特定のファイル形式の動画データを生成し、この動画データに基づいて家電機器用データを生成し、家電機器用データのデータ構成を参照して、イベント毎又はイベント内の所定数の画像データ毎の先頭位置にチャプターを設定し、生成された家電機器用データと元の画像データとを記録媒体に記録する処理を行うため、ユーザはタイトルメニュー画面で所望のイベントの画像に対応するタイトルを選択したり、チャプター機能を用いてイベント毎又はイベント内の所定数の画像データ毎に画像をスキップさせることができ、これにより任意のイベントの画像を表示させることができるからである。
【発明を実施するための最良の形態】
【００１８】
本発明は、その好ましい一実施の形態において、画像データと該画像データをコンピュータ機器でスライド表示させるスライドショープログラムとが少なくとも記録された記録媒体を作成する記録装置で動作する記録プログラムであって、コンピュータを、１又は複数のイベントで撮影された画像データ（静止画像データ又は静止画像データ及び動画データ）のヘッダ情報に基づいて撮影日を取得し、撮影日が同じ又は連続する画像データを１つのイベントの画像データとして判別し、イベント毎又はイベント内の所定数の画像データ毎に、各々の画像データに基づく画像がスライドショーの設定条件で表示される特定のファイル形式の動画データを生成し、複数の動画データに基づいて、各々の動画データがタイトルで分割されたＤＶＤ−Ｖｉｄｅｏ形式などの家電機器用データを生成するデータ生成手段、記録手段に、少なくとも生成された家電機器用データとイベント毎の画像データとを記録媒体に記録させる記録制御手段として機能させる。又は、１又は複数のイベントで撮影された画像データに基づいて特定のファイル形式の動画データを生成し、該動画データに基づいて家電機器用データを生成し、家電機器用データのデータ構成を参照して、イベント毎又はイベント内の所定数の画像データ毎の先頭位置にチャプターを設定するデータ生成手段、記録手段に、少なくとも生成された家電機器用データとイベント毎の画像データとを記録媒体に記録させる記録制御手段として機能させる。これにより、ユーザはタイトルメニュー画面で所望のイベントの画像に対応するタイトルを選択したり、チャプター機能を用いてイベント毎又はイベント内の所定数の画像データ毎に画像をスキップさせることができ、任意のイベントの画像を表示させることができる。
【実施例１】
【００１９】
次に、本発明の第１の実施例に係る記録プログラム及び記録装置並びに記録方法について、図１乃至図１３を参照して説明する。図１は、本実施例に係る記録装置の外観構成を模式的に示す図であり、図２乃至図５は、そのバリエーションを示す図、図６は、記録装置の手段を示すブロック図である。また、図７は、記録装置を用いたデータの記録手順を示すフローチャート図であり、図８は、家電機器用データの作成手順を模式的に示す図である。また、図９は、記録媒体におけるデータの記録構造を示す図、図１０は、記録媒体におけるデータの記録領域を示す図、図１１は、記録媒体（ＣＤ−Ｒ）の構造を模式的に示す図である。また、図１２は、記録装置の表示手段に表示される画面の構成例を示す図であり、図１３は、家電機器の表示手段に表示される画面の構成例を示す図である。
【００２０】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１１を介してサーバ１２に接続するネットワーク接続部、各種データを記録する記録媒体９を装填する記録媒体装填部４、ボタン、キーボード、マウス等の操作手段６及びＬＣＤ、ＣＲＴ等の表示手段５とを備え、上記記録媒体９がパーソナルコンピュータや次世代ＰＣなどのコンピュータ機器１７やＤＶＤプレーヤＤＶＤレコーダ、ＨＤＤレコーダ、ゲーム機などの家電機器１８で利用される。
【００２１】
また、記録装置１に備える主な手段をブロック図で示すと図６のようになり、メディア装填部２や機器接続部３、ネットワーク接続部などを用いて所定の記録手段から画像データ（静止画像データ又は静止画像データ及び動画データ）を読み取るデータ読み取り手段１３と、１又は複数のメディア８などから読み取った１又は複数のイベントで撮影された画像データのヘッダ情報に基づいて撮影日を取得し、撮影日が同じ又は連続する画像データを１つのイベントの画像データとして判別し、イベント毎又はイベント内の所定数の画像データ毎に、各々の画像データに基づく画像がスライドショーの設定条件で表示される特定のファイル形式（例えば、ＭＰＥＧ１形式又はＭＰＥＧ２形式）の動画データを生成し、複数の動画データに基づいて、各々の動画データが別のタイトルとして分割された、家電機器１８で利用可能なファイル形式（例えば、Ｖｉｄｅｏ−ＣＤ形式、ＤＶＤ−Ｖｉｄｅｏ形式、ＨＤＴＶ形式など）のデータ（以下、家電機器用データと呼ぶ。）を生成するデータ生成手段１４と、記録媒体装填部４などの記録手段に、生成された家電機器用データと必要に応じて読み取った画像データなどとを記録媒体９に記録させる制御を行う記録制御手段１５と、スライドショーの表示などを行う表示手段５と、画像データや音楽データの選択などを行う操作手段６とを備えている。
【００２２】
なお、上記各手段は記録装置１にハードウェアとして構成されていてもよいし、コンピュータを、少なくとも、データ生成手段１４、記録制御手段１５として機能させる記録プログラムとして構成し、該記録プログラムを記録装置１にインストールして実行する構成とすることができる。また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、演算処理機能を備えたカーナビゲーション機器などとすることもできる。
【００２３】
次に、上記構成の記録装置１（記録プログラム）を用いて、記録媒体９に各種データを記録する手順について、図７のフローチャート図を参照して説明する。なお、以下のステップで表示される画面は例示であり、必要に応じて構成を変更したり省略することもできる。
【００２４】
まず、本実施例の記録装置１を起動すると、表示手段５にメニュー画面が表示され、ステップＳ１０１で、新しい記録媒体９の作成を指示すると、表示手段５に記録媒体９に各種データを記録するまでの手順が表示された画面や画像データの読み取り先を選択する画面が表示される。そして、所望の読み取り先を選択すると、表示手段５に、例えばメディア８をメディア装填部２に装填、又はデジタルカメラ７を機器接続部３に接続するように促すメッセージが表示される。
【００２５】
次に、ステップＳ１０２で、メッセージの指示に従って、例えば記録装置１のメディア装填部２に１又は複数のメディア８を装填、又は機器接続部３に１又は複数のデジタルカメラ７を接続すると、ステップＳ１０３で、データ読み取り手段１３は、１又は複数のメディア８やデジタルカメラ７などに記録された１又は複数のイベントで撮影された画像データ（静止画像データ又は静止画像データ及び動画データ）を読み取る。
【００２６】
ここで、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や記録装置１のハードディスク、通信ネットワーク１１を介して接続されるサーバ１２などであってもよい。また、画像データの提供元のメディア８やデジタルカメラ７の数量、イベントの種類及び各々のイベントで撮影された画像データの数量も特に限定されない。また、画像データのファイル形式も任意であり、例えば、静止画像データとして、デジタルカメラ７で撮像して得られたままの撮像画像データであるＲＡＷ形式、デジタルカメラ７固有の形式、ｅｘｉｆ（Exchangeable Image File Format）形式、ｂｍｐ（Windows（登録商標） Bitmapfile）形式、ｇｉｆ（CompuServe Graphics Interchange Format File）形式、ｔｉｆ（Tagget Image File Format file）形式、ｊｐｅｇ（Joint Photographic Coding Experts Group）形式などとしてもよく、動画データとして、ＡＶＩ（Audio Video Interleaving）形式、ＭＯＶ形式、ＭＰＥＧ（Moving Picture Experts Group）１、２、４、７形式、ＷＭＶ（Windows（登録商標） Media Video）形式などとしてもよい。
【００２７】
そして、画像データの読み取りが終了すると、表示手段５に、例えば図１２に示すような画像選択画面１９が表示される。この画像選択画面１９には、イベントを選択するタグ表示欄２０と、選択したイベントの画像データに基づく画像を一覧表示する一覧表示欄２１と、その中から選択した画像を表示する選択画像表示欄２３と、作業を選択する作業メニュー欄２２とが設けられており、ステップＳ１０４で、タグ表示欄２０でイベントを選択し、一覧表示欄２１で画像データを選択した後、必要に応じて、作業メニュー欄２２を操作してタイトルを入力したり、画像に文字を合成させたり、ＢＧＭとして再生する音楽データを選択したり、スライドショーの確認などの処理を行う。
【００２８】
次に、家電機器用データを生成する前段階として、１又は複数のイベントで撮影された画像データに基づいて動画データを生成（エンコード）するが、本実施例では所望のイベントの画像を任意に表示させることができるように、ステップＳ１０５で、データ生成手段１４を用いて、１又は複数のイベントで撮影された画像データに基づいて、イベント毎又はイベント内の所定数（例えば、２５や５０）の画像データ毎に動画データを生成する。
【００２９】
具体的には、例えば、図８（ａ）に示すように、読み取った画像データの中にイベント１の画像データ（画像１〜）とイベント２の画像データ（画像ｎ〜）とが混在している場合を例にして説明すると、図８（ｂ）に示すように、各々の画像データのヘッダ情報等に基づいて各々の画像データの撮影日を取得し、撮影日が同じ又は連続する画像データを１つのイベントで撮影された画像データとして判別する。そして、各々のイベントに対して、各々の静止画像データは、スライド間隔分の差分データ（画像を順次切り替える場合は差分０のデータ、画像をスライド効果に基づいて切り替える場合はスライド効果に基づく差分が記録されたデータ）を付加し、また、読み取った画像データ中の動画データのファイル形式がＭＯＶ形式、ＷＭＶ形式又はＡＶＩ形式の場合には、動画データのファイル形式をＭＰＥＧ１形式又はＭＰＥＧ２形式に変換して、１つのイベントの画像データを１つの単位としてＭＰＥＧ１形式又はＭＰＥＧ２形式の動画データを生成する。なお、図８ではイベント毎に動画データを生成しているが、画像データの数量が多くなると１つのタイトルに含まれる画像データの数量も多くなり、イベント内の所望の画像を速やかに表示することができなくなるなどの不都合が生じる場合もある。そのような場合には、画像データを所定数（例えば、２５や５０）でセットにして１つのイベントの画像データであっても所定数の画像データ毎に動画データを生成することもできる。また、記録媒体９の容量が大きくなると複数のメディア８に格納された画像データを１枚の記録媒体９に記録することもできる。そのような場合には、メディア８毎、かつ、イベント毎又は所定数の画像データ毎に動画データを生成することもできる。
【００３０】
次に、ステップＳ１０６で、イベント毎又はイベント内の所定数の画像データ毎（又は、メディア８毎、かつ、イベント毎又は所定数の画像データ毎）に生成された複数の動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。その際、ＤＶＤ−Ｖｉｄｅｏ形式のデータを生成する場合は、図８（ｃ）に示すように、各々の動画データを１つのタイトルのデータ（VTS_**_*.VOB）とし、複数のタイトルでビデオタイトルセット（ＶＴＳ）を構成し、各々のタイトルの動画データの先頭に位置する画像を抽出してビデオマネージャ（ＶＭＧ）のファイル（VIDEO_TS.IFO）やビデオタイトルセットのファイル（VTS_**_0.IFO）に登録する。
【００３１】
次に、作業メニュー欄２２の”ディスクに書き込む”を選択すると、表示手段５に記録媒体９を記録媒体装填部４に装填するように促すメッセージが表示され、ステップＳ１０７で、該メッセージに従って記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。
【００３２】
この記録媒体９は任意の記録媒体とすることができるが、特定の記録媒体９に対してのみデータの記録が行われるようにしてもよく、その場合は、ステップＳ１０８で記録媒体９の所定の領域に記録媒体９を識別するための識別情報が記録されているか否かを調べる構成としてもよい。この識別情報の内容は限定されず、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してデータを記録するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３３】
ここで、一般的な記録媒体９の構造について、図１１を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３４】
次に、記録媒体９に生成した家電機器用データや元の画像データを記録するが、家電機器１８ではデータを読み込むことができる記録領域が限定されるため、ステップＳ１０９で、記録制御手段１５を用いて、生成した家電機器用データを記録媒体９の論理アドレス領域の内側に記録する。なお、この論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ）情報の領域は含まない領域である。
【００３５】
次に、必要に応じてセッションをクローズした後、ステップＳ１１０で、記録制御手段１５を用いて、イベント毎の画像データや縮小画像データ、音楽データ、スライドショープログラムなどのアプリケーション、スライドショーの設定ファイル、情報ファイル、自動起動ファイルなどを先に記録された家電機器用データの外側に記録して一連の書き込み処理を終了する。
【００３６】
上記手順で作成された記録媒体９は、例えば、図１０に示すように各種データが記録され、ディスク型記録媒体９の最内周の論理アドレス領域外（上記論理アドレス領域以外の領域であって論理アドレス領域よりも内周側に位置する領域）には必要に応じて所定の識別情報が記録され、その外周に位置する論理アドレス領域の内周側の領域には家電機器用データが記録され、更に家電機器用データの外周側の領域にはイベント毎の画像データなどが記録される。
【００３７】
また、上記手順で作成された記録媒体９（ＤＶＤ−Ｒ）のディレクトリ構造は、例えば、図９に示すようになり、”PS_Roll”フォルダ内にイベント毎（又は、メディア８毎、かつ、イベント毎）に格納された画像データや音楽データ、縮小画像データ、”APPL”フォルダ内に格納されたスライドショープログラムやスライドショーの再生指示情報（Slidesetting.ini）、記録媒体９に関する各種情報が記述された情報ファイル（index.pvm）や自動起動ファイル（Autrun.inf）などでコンピュータ機器用データが構成され、また、”VIDEO_TS”フォルダ内のビデオマネージャ（ＶＭＧ）とビデオタイトルセット（ＶＴＳ）とで家電機器用データ（ＤＶＤ−Ｖｉｄｅｏデータ）が構成される。具体的には、ＶＭＧは、ビデオ全体を制御するための情報が記録されたVIDEO_TS.IFO、そのバックアップファイルであるVIDEO_TS.BUP、タイトル選択メニューのためのVIDEO_TS.VOBファイルで構成され、ＶＴＳは、ＶＴＳ全体を制御する情報が記述されたVTS_**_0.IFO、そのバックアップファイルであるVTS_**_0.BUP、ＶＴＳの各タイトルの動画データであるVTS_**_*.VOBなどで構成される。
【００３８】
なお、画像データや音楽データのディレクトリ構造は任意であるが、画像データや音楽データをコンピュータ機器などにバックアップした場合における管理を容易にするために、例えば、図９に示すように、画像データの格納場所を示すフォルダ（PS_Roll）の下位の階層にメディア８毎、機器毎、イベント毎のデータの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々のデータをCCYYMMDDxxxxxx（CC：データの種別、YYMMDD：書き込み年月日を特定する数字、xxxxxx：シーケンシャル番号）などにリネームしてもよい。
【００３９】
そして、ステップＳ１１１で、この記録媒体９（ＤＶＤ−Ｒ）を家電機器１８にセットすると、例えば図１３に示すように、各々のタイトルを構成する動画データの先頭に対応する位置から抽出された画像が一覧表示されたタイトルメニュー画面２４が表示され、ユーザがタイトルメニュー画面２３の中から所望のイベントを選択すると、選択したイベントの先頭の画像から順にスライドショーが再生される。また、スライドショーの再生中に家電機器１８を操作してタイトルメニュー画面２４を表示させてイベントを選択すれば、同様に所望のイベントの画像を表示させることができる。
【００４０】
このように、本実施例では、イベント毎又はイベント内の所定数の画像データ毎（又は、メディア８毎、かつ、イベント毎又は所定数の画像データ毎）にＭＰＥＧ１形式又はＭＰＥＧ２形式の複数の動画データが生成され、複数の動画データに基づいて、各々の動画データを１つのタイトルデータとする家電機器用データが生成されて記録媒体９に記録されるため、タイトルメニュー画面２３でタイトルを選択することにより所望のイベントの画像を簡単に表示させることができ、従来のスライドショーのように所望のイベントの画像を表示させるために待つ必要がなくなり、ユーザの利便性を格段に向上させることができる。
【実施例２】
【００４１】
次に、本発明の第２の実施例に係る記録プログラム及び記録装置並びに記録方法について、図１４乃至図１６を参照して説明する。図１４は、記録装置を用いたデータの記録手順を示すフローチャート図であり、図１５は、家電機器用データの作成手順を模式的に示す図である。また、図１６は、記録媒体におけるデータの記録構造を示す図である。
【００４２】
前記した第１の実施例では、イベント毎又はイベント内の所定数の画像データ毎（又は、メディア８毎、かつ、イベント毎又は所定数の画像データ毎）に複数の動画データを生成し、複数の動画データに基づいて、各々の動画データがタイトルで分割された家電機器用データを生成することによってイベントを選択して表示できるようにしたが、ＤＶＤ−Ｖｉｄｅｏ形式のデータの場合、チャプター機能を用いることによっても同様に画像を選択して表示させることが可能である。その場合の手順について、図１４のフローチャート図を参照して説明する。
【００４３】
まず、第１の実施例と同様に、記録装置１を起動すると、表示手段５にメニュー画面が表示され、ステップＳ２０１で、新しい記録媒体９の作成を指示すると、表示手段５に作業手順画面や読み取り先選択画面が表示され、所望の読み取り先を選択すると、表示手段５に、例えばメディア８をメディア装填部２に装填、又はデジタルカメラ７を機器接続部３に接続するように促すメッセージが表示される。
【００４４】
次に、ステップＳ２０２で、メッセージの指示に従って、例えば記録装置１のメディア装填部２に１又は複数のメディア８を装填、又は機器接続部３に１又は複数のデジタルカメラ７を接続すると、ステップＳ２０３で、データ読み取り手段１３は、１又は複数のメディア８やデジタルカメラ７などに記録された１又は複数のイベントで撮影された画像データ（静止画像データ又は静止画像データ及び動画データ）を読み取る。なお、本実施例においても、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよいし、読み取り先もＣＤ−ＲやＤＶＤ−Ｒなどの記録媒体や記録装置１のハードディスク、通信ネットワーク１１を介して接続されるサーバ１２などとしてもよい。また、メディア８やデジタルカメラ７の数量、イベントの種類及び各々のイベントで撮影された画像データの数量も特に限定されない。
【００４５】
そして、画像データの読み取りが終了すると、表示手段５に図１２に示すような画像選択画面１９が表示され、ステップＳ２０４で、タグ表示欄２０でイベントを選択し、一覧表示欄２１で画像データを選択した後、必要に応じて、作業メニュー欄２２を操作してタイトルを入力したり、画像に文字を合成させたり、ＢＧＭとして再生する音楽データを選択したり、スライドショーの確認などの処理を行う。
【００４６】
次に、ステップＳ２０５で、データ生成手段１４は、１又は複数のイベントで撮影された画像データに基づいて１つの動画データを生成する。具体的には、例えば、図１５（ａ）に示すように、読み取った画像データの中にイベント１の画像データ（画像１〜）とイベント２の画像データ（画像ｎ〜）とが混在している場合を例にして説明すると、図１５（ｂ）に示すように、各々の画像データのヘッダ情報等に基づいて各々の画像データの撮影日を取得し、撮影日が同じ又は連続する画像データを１つのイベントで撮影された画像データとして判別する。そして、全てのイベントに対して、静止画像データは、各々の画像を順次表示する場合はスライド間隔分の差分０のデータを付加、所定のスライド効果で画像を表示する場合はスライド効果に基づく差分データを付加し、また、動画データに対しては必要に応じてファイル形式を変換して、ＭＰＥＧ１形式又はＭＰＥＧ２形式の１つの動画データを生成する。
【００４７】
次に、ステップＳ２０６で、図１５（ｃ）に示すように、１つの動画データに基づいて、家電機器で再生可能な形式の家電機器用データ（ここではＤＶＤ−Ｖｉｄｅｏ形式のデータ）を生成する。なお、図１５では、１つの動画データから１つのタイトルのＤＶＤ−Ｖｉｄｅｏデータを生成しているが、１つのタイトルの動画データの容量は約１ＧＢに制限されているため、１つの動画データの総容量が１ＧＢを超える場合は、１つの動画データをイベントを区切りとして複数のタイトルに分割してＤＶＤ−Ｖｉｄｅｏ形式のデータを生成してもよい。
【００４８】
その際、この状態では複数の画像データは１つの動画として連続して再生されてしまうため、ステップＳ２０７で、イベント毎又はイベント内の所定数の画像データ毎（又は、メディア８毎、かつ、イベント毎又は所定数の画像データ毎）の先頭位置にチャプター（パートオブタイトル：ＰＴＴとも呼ぶ。）を設定し、このチャプターの情報をビデオマネージャ（ＶＭＧ）のVIDEO_TS.IFOファイルやビデオタイトルセット（ＶＴＳ）のVTS_**_0.IFOファイルなどに登録する。
【００４９】
このチャプター位置の特定方法としては、例えば、ステップＳ２０５で１又は複数のイベントの画像データから動画データを生成する際に、あるイベントの最後の画像データと次のイベントの初めの画像データとの間、若しくは、あるイベントの所定数の最後の画像データとそのイベントの次の所定数の初めの画像データとの間（更に、必要に応じて、あるメディア８の最後の画像データと次のメディア８の初めの画像データとの間）にチャプター位置を特定するためのチャプター位置特定データを付加しておき、このチャプター位置特定データの後ろにチャプターを設定することによりイベント毎又はイベント内の所定数の画像データ毎（又は、メディア８毎、かつ、イベント毎又は所定数の画像データ毎）の先頭位置にチャプターを設定することができる。
【００５０】
次に、作業メニュー欄２５の”ディスクに書き込む”を選択すると、表示手段５に記録媒体９を記録媒体装填部４に装填するように促すメッセージが表示され、ステップＳ２０８で、該メッセージに従って記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。
【００５１】
次に、必要に応じて、ステップＳ２０９で記録媒体９の所定の領域に記録媒体９を識別するための識別情報が記録されているか否かを調べ、識別情報が記録されている場合は、ステップＳ２１０で、記録制御手段１５を用いて、生成した家電機器用データを記録媒体９の論理アドレス領域の内側に記録する。
【００５２】
次に、必要に応じてセッションをクローズした後、ステップＳ２１１で、記録制御手段１５を用いて、イベント毎（又は、メディア８毎、かつ、イベント毎）の画像データや縮小画像データ、音楽データ、スライドショープログラムなどのアプリケーション、スライドショーの設定ファイル、情報ファイル、自動起動ファイルなどを先に記録されたＶｉｄｅｏ−ＣＤ形式などの家電機器用データの外側に記録して一連の書き込み処理を終了する。
【００５３】
上記手順で作成された記録媒体９（ＤＶＤ−Ｒ）のディレクトリ構造は、例えば、図１６に示すようになり、第１の実施例と同様にコンピュータ機器用データが構成され、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）とで家電機器用データ（ＤＶＤ−Ｖｉｄｅｏデータ）が構成される。
【００５４】
そして、ステップＳ２１２で、この記録媒体９を家電機器１８にセットすると１又は複数のイベントで撮影された画像データに基づく画像がスライドショーとして表示され、任意の画像が表示されている時に家電機器１８を操作（スキップボタンを押す）と、次のイベントの画像（又はそのイベントの次の所定数の画像）を自在に表示させることができる。
【００５５】
このように、本実施例では、１又は複数のイベントで撮影された画像データからＭＰＥＧ１形式又はＭＰＥＧ２形式の動画データが生成され、該動画データからＤＶＤ−Ｖｉｄｅｏ形式のデータが生成され、該データのデータ構成を参照して、イベント毎又はイベント内の所定数の画像データ毎（又は、メディア８毎、かつ、イベント毎又は所定数の画像データ毎）の先頭位置にチャプターが設定されて記録媒体に記録されるため、スキップボタンなどで次のイベントの画像（又はそのイベントの次の所定数の画像）を表示させることができ、従来のスライドショーのように所望のイベントの画像を表示させるために待つ必要がなくなり、ユーザの利便性を格段に向上させることができる。
【００５６】
なお、上記各実施例では、画像データからＤＶＤ−Ｖｉｄｅｏ形式のデータを生成する場合について主に説明したが、本発明は上記実施例に限定されるものではなく、例えば、画像データからＶｉｄｅｏ−ＣＤ形式又はＨＤＴＶ形式のデータを生成する場合や、音楽データからＤＶＤ−Ａｕｄｉｏ形式のデータを生成する場合などについても同様に適用することができる。
【産業上の利用可能性】
【００５７】
本発明は、１又は複数のイベントで撮影された画像データを用いて家電機器用データを作成する任意のプログラム、装置、方法に利用可能である。
【図面の簡単な説明】
【００５８】
【図１】本発明の第１の実施例に係る記録装置の外観構成を模式的に示す図である。
【図２】本発明の第１の実施例に係る記録装置の他の外観構成を示す図である。
【図３】本発明の第１の実施例に係る記録装置の他の外観構成を示す図である。
【図４】本発明の第１の実施例に係る記録装置の他の外観構成を示す図である。
【図５】本発明の第１の実施例に係る記録装置の他の外観構成を示す図である。
【図６】本発明の第１の実施例に係る記録装置の構成を示すブロック図である。
【図７】本発明の第１の実施例に係る記録装置を用いたデータの書き込み手順を示すフローチャート図である。
【図８】本発明の第１の実施例に係る家電機器用データの作成手順を模式的に示す図である。
【図９】本発明の第１の実施例に係る記録媒体（ＤＶＤ−Ｒ）におけるデータの記録構造を示す図である。
【図１０】本発明の第１の実施例に係る記録媒体におけるデータの記録領域を示す図である。
【図１１】記録媒体（ＣＤ−Ｒ）の構造を模式的に示す図である。
【図１２】本発明の第１の実施例に係る記録装置の表示手段に表示される画面例（画像選択画面）を示す図である。
【図１３】本発明の第１の実施例に係る家電機器の表示手段に表示される画面例（タイトルメニュー画面）を示す図である。
【図１４】本発明の第２の実施例に係る記録装置を用いたデータの書き込み手順を示すフローチャート図である。
【図１５】本発明の第２の実施例に係る家電機器用データの作成手順を模式的に示す図である。
【図１６】本発明の第２の実施例に係る記録媒体（ＤＶＤ−Ｒ）におけるデータの記録構造を示す図である。
【符号の説明】
【００５９】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１１  通信ネットワーク
１２  サーバ
１３  データ読み取り手段
１４  データ生成手段
１５  記録制御手段
１７  コンピュータ機器
１８  家電機器
１９  画像選択画面
２０  タグ表示欄
２１  一覧表示欄
２２  作業メニュー欄
２３  選択画像表示欄
２４  タイトルメニュー画面
１００  ポリカーボネート基板
１０１  有機色素層
１０２  反射層
１０３  保護層
【図１】
2009224862.tif 000003
【図２】
2009224862.tif 000004
【図３】
2009224862.tif 000005
【図４】
2009224862.tif 000006
【図５】
2009224862.tif 000007
【図６】
2009224862.tif 000008
【図７】
2009224862.tif 000009
【図８】
2009224862.tif 000010
【図９】
2009224862.tif 000011
【図１０】
2009224862.tif 000012
【図１１】
2009224862.tif 000013
【図１２】
2009224862.tif 000014
【図１３】
2009224862.tif 000015
【図１４】
2009224862.tif 000016
【図１５】
2009224862.tif 000017
【図１６】
2009224862.tif 000018